(57)【特許請求の範囲】
【請求項１】
塵芥収集車の荷箱の下端の四隅に設けたロードセルで構成され、該荷箱の質量を計測する質量計測器を備え、該質量計測器によって、投入された塵芥の質量を計測する塵芥計量システムであって、
上記塵芥収集車に設けられ、上記各ロードセルにより得られた質量データを合算する計量コントローラと、
上記計量コントローラ及び事務所のパソコンとデータを送受信可能なハンディーターミナルと、
上記ハンディーターミナルに設けられ、少なくとも収集場所又は排出事業者と、塵芥質量とを登録可能に構成された記憶部を備え、
塵芥の質量の計量形態として、予め登録されたルート別に計量して上記記憶部に記憶させるルート収集計量と、個別にバーコードから得られた収集場所又は排出事業者毎に計量して上記記憶部に記憶させるバーコード計量とを備え、
上記いずれか１つの計量形態を上記ハンディーターミナルで選択可能に構成されていることを特徴とする塵芥計量システム。
【請求項２】
塵芥収集車の荷箱の下端の四隅に設けたロードセルで構成され、該荷箱の質量を計測する質量計測器を備え、該質量計測器によって、投入された塵芥の質量を計測する塵芥計量システムであって、
上記塵芥収集車に設けられ、上記各ロードセルにより得られた質量データを合算する計量コントローラと、
上記計量コントローラ及び事務所のパソコンとデータを送受信可能なハンディーターミナルと、
上記ハンディーターミナルに設けられ、少なくとも収集場所又は排出事業者と、塵芥質量とを登録可能に構成された記憶部を備え、
塵芥の質量の計量形態として、予め登録されたルート別に計量して上記記憶部に記憶させるルート収集計量と、予め登録された排出事業者別に計量して上記記憶部に記憶させる登録顧客計量とを備え、
上記いずれか１つの計量形態を上記ハンディーターミナルで選択可能に構成されていることを特徴とする塵芥計量システム。
【請求項３】
塵芥収集車の荷箱の下端の四隅に設けたロードセルで構成され、該荷箱の質量を計測する質量計測器を備え、該質量計測器によって、投入された塵芥の質量を計測する塵芥計量システムであって、
上記塵芥収集車に設けられ、上記各ロードセルにより得られた質量データを合算する計量コントローラと、
上記計量コントローラ及び事務所のパソコンとデータを送受信可能なハンディーターミナルと、
上記ハンディーターミナルに設けられ、少なくとも収集場所又は排出事業者と、塵芥質量とを登録可能に構成された記憶部を備え、
個別にバーコードから得られた収集場所又は排出事業者毎に計量して上記記憶部に記憶させるバーコード計量と、予め登録された排出事業者別に計量して上記記憶部に記憶させる登録顧客計量とを備え、
上記いずれか１つの計量形態を上記ハンディーターミナルで選択可能に構成されていることを特徴とする塵芥計量システム。
【請求項４】
請求項１に記載の塵芥計量システムにおいて、
さらに、予め登録された排出事業者別に計量して上記記憶部に記憶させる登録顧客計量を備え、
上記登録顧客計量とルート収集計量とバーコード計量とのうち、いずれか１つの計量形態を上記ハンディーターミナルで選択可能に構成されていることを特徴とする塵芥計量システム。
【請求項５】
請求項１乃至４のいずれか１つに記載の塵芥計量システムにおいて、
収集した袋の数を上記記憶部に記憶可能に構成されていることを特徴とする塵芥計量システム。
【請求項６】
請求項１乃至５のいずれか１つに記載の塵芥計量システムにおいて、
上記塵芥収集車の荷箱は、複数の収容部に区画され、
塵芥種別に応じて上記各収容部に塵芥を収納可能に構成され、
上記記憶部は、さらに塵芥種別を登録可能に構成されていることを特徴とする塵芥計量システム。
【請求項７】
請求項１乃至６のいずれか１つに記載の塵芥計量システムにおいて、
上記記憶部に記憶されたデータのうち、少なくとも収集場所又は排出事業者及び塵芥質量のデータを印刷可能な印刷機を備えていることを特徴とする塵芥計量システム。
【請求項８】
請求項１乃至７のいずれか１つに記載の塵芥計量システムにおいて、
上記ハンディーターミナル及び上記荷箱後方に設けた外部操作器には、上記荷箱の質量を減じる風袋引きボタン及び塵芥収集後の塵芥のみの質量を計測する計量ボタンがそれぞれ設けられていることを特徴とする塵芥計量システム。
【発明の詳細な説明】
【技術分野】
【０００１】
本発明は、塵芥収集車の荷箱の質量を計測する質量計測器を備え、この質量計測器により投入された塵芥の質量を計測する塵芥計量システムに関するものである。
【背景技術】
【０００２】
従来より、塵芥収集車の収容部の質量を計量するロードセルを備え、収集場所毎にロードセルの値をリセットして収集した塵芥の質量を計測する塵芥計量システムは知られている。このことで、排出事業者等から排出されたリサイクル不可能な塵芥に対してその質量に応じた費用を請求したり、リサイクル可能な塵芥を収集した場合には、その質量に応じた費用を支払ったりすることが可能となる。
【０００３】
例えば、特許文献１及び２では、塵芥収集車のコンテナ反転装置にロードセルを設け、このロードセルにより廃物コンテナの収容物の廃棄前と廃棄後との質量差により収集した塵芥の質量を算出する塵芥計量システムが知られている。この塵芥計量システムでは、廃物コンテナに設けられたＩＣタグから廃物コンテナのＩＤ情報及び標準空容器質量データを得ると共に、計量された正味塵芥収集質量をＩＣタグ及びハンディーターミナルに記憶するようにしている。
【特許文献１】特開平７−２０９０６３号公報
【特許文献２】特許第３１０２６１６号明細書
【発明の開示】
【発明が解決しようとする課題】
【０００４】
このように収集された塵芥の質量から排出事業者等に課金又は支払いを行う必要があるが、従来の塵芥計量システムでは、収集場所や排出事業者毎に、収集場所や排出事業者、塵芥の質量等をその都度記憶してデータ収集や印刷をしなければならず、その手間が煩雑であるという問題があった。
【０００５】
本発明は、かかる点に鑑みてなされたものであり、その目的とするところは、塵芥収集車の収集形態に合わせて計量形態を選択することで、収集場所や排出事業者、塵芥の質量等を簡潔且つ正確に記憶することにある。
【課題を解決するための手段】
【０００６】
上記の目的を達成するために、この発明では、収集形態に合わせ、収集時に新たにインプット不要な項目を予め登録するようにした。
【０００７】
具体的には、第１の発明では、塵芥収集車の荷箱の下端の四隅に設けたロードセルで構成され、該荷箱の質量を計測する質量計測器を備え、該質量計測器によって、投入された塵芥の質量を計測する塵芥計量システムを対象とする。
【０００８】
そして、上記塵芥収集車に設けられ、上記各ロードセルにより得られた質量データを合算する計量コントローラと、
上記計量コントローラ及び事務所のパソコンとデータを送受信可能なハンディーターミナルと、
上記ハンディーターミナルに設けられ、少なくとも収集場所又は排出事業者と、塵芥質量とを登録可能に構成された記憶部を備え、
塵芥の質量の計量形態として、予め登録されたルート別に計量して上記記憶部に記憶させるルート収集計量と、個別にバーコードから得られた収集場所又は排出事業者毎に計量して上記記憶部に記憶させるバーコード計量とを備え、
上記いずれか１つの計量形態を上記ハンディーターミナルで選択可能に構成されている。
【０００９】
すなわち、収集された塵芥の質量から排出事業者等に課金又は支払いを行うため、収集場所や排出事業者毎に、収集場所や排出事業者、塵芥の質量等を記憶する必要があるが、上記の構成によると、ハンディーターミナルで２つの計量形態を選択可能に構成し、各計量形態で収集の度にインプットする必要のない固定の項目が予めハンディーターミナルの記憶部に登録されているので、その項目については、改めて記憶することなく、実測された塵芥の質量などが新たに記憶される。したがって、煩雑なインプット作業を行うことなく、収集場所や排出事業者、塵芥の質量等が簡潔且つ正確に記憶される。
【００１０】
第２の発明では、塵芥収集車の荷箱の下端の四隅に設けたロードセルで構成され、該荷箱の質量を計測する質量計測器を備え、該質量計測器によって、投入された塵芥の質量を計測する塵芥計量システムを対象とする。
【００１１】
そして、上記塵芥収集車に設けられ、上記各ロードセルにより得られた質量データを合算する計量コントローラと、
上記計量コントローラ及び事務所のパソコンとデータを送受信可能なハンディーターミナルと、
上記ハンディーターミナルに設けられ、少なくとも収集場所又は排出事業者と、塵芥質量とを登録可能に構成された記憶部を備え、
塵芥の質量の計量形態として、予め登録されたルート別に計量して上記記憶部に記憶させるルート収集計量と、予め登録された排出事業者別に計量して上記記憶部に記憶させる登録顧客計量とを備え、
上記いずれか１つの計量形態を上記ハンディーターミナルで選択可能に構成されている。
【００１２】
すなわち、収集された塵芥の質量から排出事業者等に課金又は支払いを行うため、収集場所や排出事業者毎に、収集場所や排出事業者、塵芥の質量等を記憶する必要があるが、上記の構成によると、ハンディーターミナルで２つの計量形態を選択可能に構成し、各計量形態で収集の度にインプットする必要のない固定の項目が予めハンディーターミナルの記憶部に登録されているので、その項目については、改めて記憶することなく、実測された塵芥の質量などが新たに記憶される。したがって、煩雑なインプット作業を行うことなく、収集場所や排出事業者、塵芥の質量等が簡潔且つ正確に記憶される。
【００１３】
第３の発明では、塵芥収集車の荷箱の下端の四隅に設けたロードセルで構成され、該荷箱の質量を計測する質量計測器を備え、該質量計測器によって、投入された塵芥の質量を計測する塵芥計量システムを対象とする。
【００１４】
そして、上記塵芥収集車に設けられ、上記各ロードセルにより得られた質量データを合算する計量コントローラと、
上記計量コントローラ及び事務所のパソコンとデータを送受信可能なハンディーターミナルと、
上記ハンディーターミナルに設けられ、少なくとも収集場所又は排出事業者と、塵芥質量とを登録可能に構成された記憶部を備え、
個別にバーコードから得られた収集場所又は排出事業者毎に計量して上記記憶部に記憶させるバーコード計量と、予め登録された排出事業者別に計量して上記記憶部に記憶させる登録顧客計量とを備え、
上記いずれか１つの計量形態を上記ハンディーターミナルで選択可能に構成されている。
【００１５】
すなわち、収集された塵芥の質量から排出事業者等に課金又は支払いを行うため、収集場所や排出事業者毎に、収集場所や排出事業者、塵芥の質量等を記憶する必要があるが、上記の構成によると、ハンディーターミナルで２つの計量形態を選択可能に構成し、各計量形態で収集の度にインプットする必要のない固定の項目が予めハンディーターミナルの記憶部に登録されているので、その項目については、改めて記憶することなく、実測された塵芥の質量などが新たに記憶される。したがって、煩雑なインプット作業を行うことなく、収集場所や排出事業者、塵芥の質量等が簡潔且つ正確に記憶される。
【００１６】
第４の発明では、さらに、予め登録された排出事業者別に計量して上記記憶部に記憶させる登録顧客計量を備え、
上記登録顧客計量とルート収集計量とバーコード計量とのうち、いずれか１つの計量形態を上記ハンディーターミナルで選択可能に構成されている。
【００１７】
上記の構成によると、ハンディーターミナルで３つの計量形態を選択可能に構成し、各計量形態で収集の度にインプットする必要のない固定の項目が予めハンディーターミナルの記憶部に登録されているので、その項目については、改めて記憶することなく、実測された塵芥の質量などが新たに記憶される。したがって、煩雑なインプット作業を行うことなく、収集場所や排出事業者、塵芥の質量等が簡潔且つ正確に記憶される。
【００１８】
第５の発明では、収集した袋の数を上記記憶部に記憶可能に構成されている。
【００１９】
上記の構成によると、同じ収集場所でも課金又は支払先が異なるような場合には、収集した袋の数によって課金又は支払いをすることがあり、このような場合にその情報が記憶部に記憶される。
【００２０】
第６の発明では、上記塵芥収集車の荷箱は、複数の収容部に区画され、
塵芥種別に応じて上記各収容部に塵芥を収納可能に構成され、
上記記憶部は、さらに塵芥種別を登録可能に構成されている。
【００２１】
上記の構成によると、１台の塵芥収集車で複数の塵芥種別の塵芥が収集可能となり、記憶部に登録した塵芥種別毎の塵芥の質量から、塵芥種別毎に課金又は支払いが行われる。
【００２２】
第７の発明では、上記記憶部に記憶されたデータのうち、少なくとも収集場所又は排出事業者及び塵芥質量のデータを印刷可能な印刷機を備えている。
【００２３】
上記の構成によると、塵芥の収集時に排出事業者、塵芥質量等が印刷されたものが排出事業者に手渡され、又は確認の署名が行われる。
【００２４】
第８の発明では、上記ハンディーターミナル及び上記荷箱後方に設けた外部操作器には、上記荷箱の質量を減じる風袋引きボタン及び塵芥収集後の塵芥のみの質量を計測する計量ボタンがそれぞれ設けられている。
【００２５】
上記の構成によると、ハンディーターミナル及び荷箱後方に設けた外部操作器の風袋引きボタンで荷箱の質量を減じ、計量ボタンで塵芥収集後の塵芥のみの質量を計測する。
【発明の効果】
【００２６】
以上説明したように、上記第１乃至３の発明によれば、ハンディーターミナルで２つの計量形態を選択可能に構成し、各計量形態で収集の度にインプットする必要のない固定の項目を予めハンディーターミナルの記憶部に登録している。このため、煩雑なインプット作業を行うことなく、収集場所や排出事業者、塵芥の質量等を簡潔且つ正確に記憶することができる。
【００２７】
上記第４の発明によれば、ハンディーターミナルで３つの計量形態を選択可能に構成し、各計量形態で収集の度にインプットする必要のない固定の項目を予めハンディーターミナルの記憶部に登録している。このため、煩雑なインプット作業を行うことなく、収集場所や排出事業者、塵芥の質量等を簡潔且つ正確に記憶することができる。
【００２８】
上記第５の発明によれば、収集した袋の数をハンディーターミナルの記憶部に記憶可能に構成したことにより、収集した袋の数によって課金又は支払いをすることができるので、煩雑なインプット作業を行うことなく、収集場所や排出事業者、塵芥の質量、袋の数等がさらに簡潔且つ正確に記憶されるので、後処理が極めて容易となる。
【００２９】
上記第６の発明によれば、塵芥種別に応じて荷箱の各収容部に塵芥を収納可能に構成し、ハンディーターミナルの記憶部に塵芥種別を登録可能にしたことにより、リサイクルが容易となると共に、塵芥種別毎の課金又は支払い等の後処理をさらに容易に行うことができる。
【００３０】
上記第７の発明によれば、ハンディーターミナルの記憶部に記憶された収集場所又は排出事業者及び塵芥質量のデータ等を印刷機で印刷可能としたことにより、手軽に印刷されたものを排出事業者に手渡したり、確認の署名を行ったりすることができる。
【００３１】
上記第８の発明によれば、ハンディーターミナル及び荷箱後方に設けた外部操作器の風袋引きボタンで荷箱の質量を減じ、計量ボタンで塵芥収集後の塵芥のみの質量を計測することができる。
【発明を実施するための最良の形態】
【００３２】
以下、本発明の実施形態を図面に基づいて説明する。
【００３３】
図１に本発明の実施形態にかかる塵芥計量システム１の概要図を示す。この塵芥計量システム１を構成する塵芥収集車２は、走行体３の前方に運転室４を有し、この運転室４の後方に収集した塵芥を収納するための荷箱５を備えている。この荷箱５の後方には、塵芥投入ホッパ６が設けられ、この塵芥投入ホッパ６から収集した塵芥が荷箱５内に押し込まれるようになっている。
【００３４】
上記荷箱５の下端の四隅には、質量計測器としてのロードセル１０がそれぞれ設けられている。このロードセル１０により、荷箱５自体の質量及び塵芥投入ホッパ６の質量、荷箱５に収集された塵芥の質量が計測されるようになっている。各ロードセル１０により得られた質量データは、上記運転室４に設けられた計量コントローラ１１に送られて合算される。この計量コントローラ１１は、内部表示器１１ａ及び内部操作器１１ｂを備えている。内部表示器１１ａには、収集された塵芥の質量が表示されるようになっている。
【００３５】
詳細は図示しないが、上記塵芥収集車２の荷箱５は、複数の収容部に区画し、塵芥種別に応じて各収容部に塵芥を収納可能に構成してもよい。例えば、収容部として、荷箱５の上部にカン、ダンボールを収集用のかごを設けてもよい。このことで、リサイクルが容易となると共に、塵芥種別毎の課金又は支払い等の後処理をさらに容易に行うことができる。
【００３６】
上記塵芥投入ホッパ６には、外部表示器１２と外部操作器１３とが設けられている。この外部表示器１２には、収集された塵芥の質量が表示されるようになっている。外部操作器１３には、荷箱５及び塵芥投入ホッパ６の質量を減じる風袋引きボタン１３ａと、塵芥収集後の塵芥のみの質量を計量するために計量ボタン１３ｂとが設けられている。
【００３７】
塵芥計量システム１は、上記計量コントローラ１１と無線又は有線により信号の送受信が可能なハンディーターミナル１５を備えている。このハンディーターミナル１５は、表示部１５ａ、風袋引きボタン１５ｂ及び記憶部１６を備えている。このハンディーターミナル１５により、計量操作及び後述するパソコン２０へのデータ転送が行われる。
【００３８】
塵芥計量システム１は、印刷機としてのプリンタ１７を備え、このプリンタ１７により、ハンディーターミナル１５から赤外線等により送られた信号を受信して計量レシートを印刷可能に構成されている。なお、ハンディーターミナル１５自体に印刷機能を設けて計量レシートを印刷可能に構成してもよい。
【００３９】
塵芥計量システム１は、塵芥の質量の計量形態として、予め登録されたルート別に計量して上記記憶部１６に記憶させるルート収集計量Ｍ１と、個別にバーコードから得られた収集場所又は排出事業者及び塵芥種別毎に計量して上記記憶部１６に記憶させるバーコード計量Ｍ２と、予め登録された排出事業者別に計量して上記記憶部１６に記憶させる登録顧客計量Ｍ３と、を備え、これらいずれか１つの計量形態を選択可能に構成されている。
【００４０】
−塵芥計量システム１の作動−
次に、本実施形態にかかる塵芥計量システム１の作動について説明する。
【００４１】
まず、上記３つの計量形態のうち１つの計量形態を選択する。以下に各計量形態についての操作方法について説明する。
【００４２】
＜ルート収集計量Ｍ１＞
図２及び図３に示すように、予め塵芥収集車２が塵芥を収集に向かうルート毎に、収集の度に新たにインプットする必要のない固定の項目である、移動する排出事業者の順番に排出事業者、塵芥種別（以下、図ではごみ種と示す）をハンディーターミナル１５の記憶部１６に登録しておく。
【００４３】
まず、ハンディーターミナル１５を計量コントローラ１１と通信状態にし、ルート収集計量Ｍ１の画面を選択する。
【００４４】
次いで、ハンディーターミナル１５の表示部１５ａに表れた複数のルートからこれから塵芥を収集するルートを選択する。選択されたルートには、排出事業者が列挙されているので、まず、最初の排出事業者が選択される。
【００４５】
次に、風袋引き操作を行う。ハンディーターミナル１５の風袋引きボタン１５ｂを押して計量コントローラ１１に信号を送り、ロードセル１０から送られてくる質量データから荷箱５、塵芥投入ホッパ６の質量を減算して、指示計の値がリセットされる。
【００４６】
次いで、塵芥を収集して、塵芥投入ホッパ６から投入する。
【００４７】
次いで、塵芥の投入後、計量ボタンの操作で計量を行う。
【００４８】
次いで、選択された顧客の記憶部１６に登録されたデータに計量データが追加される。
【００４９】
次いで、袋個数をインプットする場合には、その数をインプットして記憶する。
【００５０】
なお、複数の塵芥種がある場合には、塵芥種別毎に計量や袋個数のインプットを行うとよい。
【００５１】
このようにして、ハンディーターミナル１５の記憶部１６に順次顧客毎に計量データが蓄積される。
【００５２】
＜バーコード計量Ｍ２＞
図４及び図５に示すように、まず、ハンディーターミナル１５を計量コントローラ１１と通信状態にし、バーコード計量Ｍ２の画面を選択する。
【００５３】
次いで、ハンディーターミナル１５によって、顧客一覧表に貼り付けられたバーコード（図示せず）を読み込む。このバーコードのデータから排出事業者等の情報が入力されると同時に指示計がリセットされる。なお、バーコードは、塵芥袋に貼り付けられていてもよい。
【００５４】
次に、インプットが終了した塵芥を収集して、塵芥投入ホッパ６から投入する。
【００５５】
次いで、複数の塵芥種を収集する場合には、塵芥の種別毎に塵芥袋の数をインプットする。このようにして、ハンディーターミナル１５の記憶部１６に順次顧客毎に計量データが蓄積される。
【００５６】
＜登録顧客計量Ｍ３＞
図６に示すように、予め顧客情報として、収集の度に新たにインプットする必要のない固定の項目である、排出事業者、塵芥種別をハンディーターミナル１５の記憶部１６に登録しておく。
【００５７】
まず、ハンディーターミナル１５を計量コントローラ１１と通信状態にし、登録顧客計量Ｍ３の画面を選択する。
【００５８】
次いで、ハンディーターミナル１５の表示部１５ａに表れた排出事業者からこれから塵芥を収集する排出業者を選択する。このとき、登録された顧客が多数に及ぶ場合には、探したい排出事業者の頭文字等を選択することにより、自動検索する。
【００５９】
次に、風袋引き操作を行う。すなわち、ハンディーターミナル１５の風袋引きボタン１５ｂを押して計量コントローラ１１に信号を送り、ロードセル１０から送られてくる質量データから荷箱５、塵芥投入ホッパ６の質量を減算して、指示計がリセットされる。
【００６０】
次いで、塵芥を収集して、塵芥投入ホッパ６から投入する。
【００６１】
次いで、塵芥の投入後、計量ボタンの操作で計量を行う。
【００６２】
次いで、選択された顧客の記憶部１６に登録されたデータに計量データが追加される。
【００６３】
次いで、袋個数をインプットする場合には、その数をインプットして記憶する。
【００６４】
なお、複数の塵芥種がある場合には、塵芥種別毎に計量や袋個数のインプットを行うとよい。
【００６５】
このようにして、ハンディーターミナル１５の記憶部１６に順次顧客毎に計量データが蓄積される。
【００６６】
＜データ印刷作業＞
上記各計量が行われた後に、ハンディーターミナル１５の記憶部１６に記憶された計量データをプリンタ１７に赤外線により送信する。
【００６７】
次いで、日付、時刻、排出事業者、塵芥種別、塵芥質量等が印刷されたデータが印刷される。
【００６８】
次いで、この印刷された紙を排出事業者に手渡したり、確認の署名をもらったりする。
【００６９】
＜データ編集作業＞
次に、塵芥収集車２が塵芥の収集を終えた後、事務所に戻った後にデータ編集をする作業について説明する。
【００７０】
まず、ハンディーターミナル１５をＵＳＢ又はＲＳ２３２Ｃで塵芥収集ソフトを備えたパソコン２０に接続する。
【００７１】
次いで、蓄積された計量データを取り込んで塵芥収集ソフトで編集する。この編集した計量データを元に排出事業者、塵芥の種別毎に課金又は支払いの手続を行う。
【００７２】
−実施形態の効果−
したがって、本実施形態にかかる塵芥計量システム１によると、３つの計量形態を選択可能に構成し、各計量形態で収集の度にインプットする必要のない固定の項目を予め記憶部１６に登録している。このため、煩雑なインプット作業を行うことなく、収集場所や排出事業者、塵芥種類、塵芥の質量等を簡潔且つ正確に記憶することができる。
【００７３】
また、収集した袋の数を記憶部１６に記憶可能に構成したことにより、収集した袋の数によって課金又は支払いをすることができるので、煩雑なインプット作業を行うことなく、収集場所や排出事業者、塵芥種類、塵芥の質量等、袋の数等がさらに簡潔且つ正確に記憶され、後処理が極めて容易となる。
【００７４】
また、記憶部１６に記憶された収集場所又は排出事業者、塵芥種別及び塵芥質量のデータ等をプリンタ１７で印刷可能としたことにより、手軽に印刷されたものを排出事業者に手渡したり、確認の署名を行ったりすることができる。
【００７５】
さらに、記憶部１６を有するハンディーターミナル１５を塵芥収集車２から脱着可能に構成したことにより、塵芥収集場所で手軽に必要な項目のインプットを行うことができると共に、ハンディーターミナル１５を事務所に持ち込んで収集後の後処理を容易に行うことができる。
【００７６】
また、ハンディーターミナル１５によって記憶部１６に記憶されたデータを印刷できるようにしたことにより、収集場所で容易に必要な項目の印刷を行うことができるので、その場で排出事業者等に手渡し、又は署名の依頼を行うことができ、極めて便利である。
【００７７】
（その他の実施形態）
本発明は、上記実施形態について、以下のような構成としてもよい。
【００７８】
すなわち、上記実施形態では、ルート収集計量Ｍ１と、バーコード計量Ｍ２と、登録顧客計量Ｍ３とのずれか１つの計量形態を選択可能に構成しているが、ルート収集計量Ｍ１又はバーコード計量Ｍ２のみを選択可能に構成したり、ルート収集計量Ｍ１又は登録顧客計量Ｍ３のみを選択可能に構成したり、バーコード計量Ｍ２又は登録顧客計量Ｍ３のみを選択可能に構成したりしてもよい。
【００７９】
なお、以上の実施形態は、本質的に好ましい例示であって、本発明、その適用物や用途の範囲を制限することを意図するものではない。
【産業上の利用可能性】
【００８０】
以上説明したように、本発明は、塵芥計量システムについて有用である。
【図面の簡単な説明】
【００８１】
【図１】塵芥計量システムの概要を表す図である。
【図２】ルート収集計量の計量操作画面を示す図である。
【図３】ルート収集計量のフローチャートである。
【図４】バーコード計量の計量操作画面を示す図である。
【図５】バーコード計量のフローチャートである。
【図６】登録顧客計量の計量操作画面を示す図である。
【符号の説明】
【００８２】
１      塵芥計量システム
２      塵芥収集車
５      荷箱
１０      ロードセル（質量計測器）
１５      ハンディーターミナル
１６      記憶部
１７      プリンタ（印刷機）
【図１】
0004671870.tif 000002
【図２】
0004671870.tif 000003
【図３】
0004671870.tif 000004
【図４】
0004671870.tif 000005
【図５】
0004671870.tif 000006
【図６】
0004671870.tif 000007